(57)【要約】【課題】  ＩＣメモリに書き込まれた画像データを読み取り、簡単且つ迅速に画像を表示する。【解決手段】  電子フォトスタンドは、画像データを段階的に読み取るＩＣメモリリーダを備えている。ＩＣメモリリーダは、まず、３画素おきに配列された画素Ｐ１の画素データを順次読み取っていく。この後、画素Ｐ１の画素データのみからなる第１縮小画像がディスプレイに表示される。次に、ＩＣメモリリーダは、１画素おきに配列された画素のうち画素Ｐ１を除いた画素Ｐ２の画素データを順次読み取っていく。この後、画素Ｐ１と画素Ｐ２との画素データからなる第２縮小画像がディスプレイに表示される。そして、ＩＣメモリリーダは、画素Ｐ１及び画素Ｐ２以外の画素の画素データを読み取っていく。この読み取りが完了すると、フル画像がディスプレイに表示される。【選択図】        図４
2005056029.tif 000002
【特許請求の範囲】
【請求項１】
複数の画素データからなる画像データが書き込まれたＩＣメモリを備えた画像プリントを、装置本体に近接させることにより、前記画像データを読み取って画像をディスプレイに表示する表示装置において、
前記画像を複数の画素群に分け、各画素群に属する画素データ毎に読み取ることで、画像データを段階的に読み取る読取部と、
既に読み取られた画素群の画素データと、新たに読み取られた画素群の画素データとから表示用画像を生成し、この表示用画像を前記ディスプレイに出力する画像処理部とを設けることを特徴とする表示装置。
【請求項２】
前記読取部は、３画素おきに配列された画素を第１画素群とし、さらに、１画素おきに配列された画素のうち、前記第１画素群を除いたものを第２画素群と定め、前記第１画素群, 前記第２画素群の順に画素データを読み取った後に、前記第１及び第２の各画素群のいずれにも属さない画素の画素データを読み取ることを特徴とする請求項１記載の表示装置。
【請求項３】
前記画像処理部は、前記第１画素群の画素データのみからなる第１縮小画像を生成し、次いで、前記第１及び第２の各画素群の画素データからなる第２縮小画像を生成することを特徴とする請求項２記載の表示装置。
【請求項４】
ディスプレイを有する装置本体と、前記装置本体に接続されるステージとを備え、画像データが書き込まれたＩＣメモリを備えた画像プリントが、前記ステージ上に配置されたときに、前記画像データを読み取って画像をディスプレイに表示する表示装置において、
複数の前記画像プリントが前記ステージ上に重ねて配置されたときに、各々の画像データを読み取る読取部と、
前記読取部によって読み取られた画像データから複数の画像を合成して合成画像を生成する画像処理部とを設けることを特徴とする表示装置。
【請求項５】
ディスプレイを有する装置本体と、前記装置本体に接続されるステージとを備え、画像データが書き込まれたＩＣメモリを備えた画像プリントが、前記ステージ上に配置されたときに、前記画像データを読み取って画像をディスプレイに表示する表示装置において、
特定の画像処理指示情報を含むデータが書き込まれた前記ＩＣメモリを備えた画像処理プリントと、前記画像プリントとが前記ステージ上に重ねて配置されたときに、前記画像処理指示情報と前記画像データとを読み取る読取部と、
前記読取部によって読み取られた画像データに対して、前記画像処理指示情報に基づいて画像処理を行う画像処理部とを設けることを特徴とする表示装置。
【発明の詳細な説明】
【技術分野】
【０００１】
本発明は、ＩＣメモリに書き込まれたデータを読み取ることで、ディスプレイに画像を表示する表示装置に関するものである。
【背景技術】
【０００２】
情報の読み書きが可能なＩＣメモリを商品に組み込むことにより、商品情報の取得及び管理を効率良く行うことが考案されている（例えば、特許文献１参照）。このＩＣメモリには、商品に関する各種情報を記憶するＩＣメモリチップと、このＩＣメモリチップ内のデータを外部装置に読み出す通信部とが設けられている。
【特許文献１】特開２００２−３５４３８４号公報
【発明の開示】
【発明が解決しようとする課題】
【０００３】
上記ＩＣメモリチップ内に画像データを記憶させて、画像を簡単且つ迅速にディスプレイに表示することが好ましい。しかしながら、外部装置が画像データの読み込みを行っている間は、画像が表示されない。このため、データ量の大きい画像をディスプレイに表示したい場合には、ユーザが長時間待たされてしまうという問題があった。
【０００４】
また、ディスプレイには読み込まれた画像が単に表示されるだけであり、２種類の画像を合成したり、モザイク画像などを表示して楽しむといったことを行う場合には、専用の画像処理装置を用いる必要があった。このような画像処理装置の操作は、煩雑なものであるため、画像編集を簡単に楽しむことが難しかった。
【０００５】
本発明は、簡単且つ迅速に画像を表示することができる表示装置を提供することを目的とする。
【０００６】
また、画像編集を簡単に行うことができる表示装置を提供することを目的とする。
【課題を解決するための手段】
【０００７】
本発明の請求項１記載の表示装置は、画像を複数の画素群に分け、各画素群に属する画素データ毎に読み取ることで、画像データを段階的に読み取る読取部と、既に読み取られた画素群の画素データと、新たに読み取られた画素群の画素データとから表示用画像を生成し、この表示用画像をディスプレイに出力する画像処理部とを設けることを特徴とする。
【０００８】
前記読取部は、３画素おきに配列された画素を第１画素群とし、さらに、１画素おきに配列された画素のうち、前記第１画素群を除いたものを第２画素群と定め、前記第１画素群, 前記第２画素群の順に画素データを読み取った後に、前記第１及び第２の各画素群のいずれにも属さない画素の画素データを読み取ることを特徴とし、前記画像処理部は、前記第１画素群の画素データのみからなる第１縮小画像を生成し、次いで、前記第１及び第２の各画素群の画素データからなる第２縮小画像を生成することを特徴とする。
【０００９】
本発明の請求項４記載の表示装置は、画像データが書き込まれたＩＣメモリを備えた複数の画像プリントがステージ上に重ねて配置されたときに、各々の前記画像データを読み取る読取部と、前記読取部によって読み取られた画像データから複数の画像を合成して合成画像を生成する画像処理部とを設けることを特徴とする。
【００１０】
本発明の請求項５記載の表示装置は、特定の画像処理指示情報を含むデータが書き込まれたＩＣメモリを備えた画像処理プリントと、画像データが書き込まれたＩＣメモリを備えた画像プリントとが前記ステージ上に重ねて配置されたときに、前記画像処理指示情報と画像データとを読み取る読取部と、前記読取部によって読み取られた画像データに対して、前記画像処理指示情報に基づいて画像処理を行う画像処理部とを設けることを特徴とする。
【発明の効果】
【００１１】
本発明の請求項１記載の表示装置は、画像を複数の画素群に分け、各画素群に属する画素データ毎に画像データを読み取っていくとともに、既に読み取られた画素群の画素データと、新たに読み取られた画素群の画素データとから表示用画像を生成し、この表示用画像をディスプレイに出力するから、簡単且つ迅速に画像を表示することができる。
【００１２】
本発明の請求項４記載の表示装置は、画像データが書き込まれたＩＣメモリを備えた複数の画像プリントがステージ上に重ねて配置されたときに、各々の画像データを読み取った後、読み取られた画像データから複数の画像を合成して合成画像を生成するから、画像編集を簡単に行うことができる。
【００１３】
本発明の請求項５記載の表示装置は、特定の画像処理指示情報を含むデータが書き込まれたＩＣメモリを備えた画像処理プリントと、画像データが書き込まれたＩＣメモリを備えた画像プリントとがステージ上に重ねて配置されたときに、前記画像処理指示情報と画像データとを読み取った後、読み取った画像データに対して、画像処理指示情報に基づいて画像処理を行うから、画像編集を簡単に行うことができる。
【発明を実施するための最良の形態】
【００１４】
図１は、第１実施形態の表示装置である電子フォトスタンド１０と、これに用いられる画像プリント１２とを示す。画像プリント１２は、例えば、専用のプリンタ（図示せず）により、インスタント写真として出力されたものである。画像プリント１２には、後述する非接触型ＩＣメモリ１３が埋め込まれている。
【００１５】
図２に示すように、非接触型ＩＣメモリ１３は、周知のように、情報を記憶するＩＣメモリチップ１４と、このＩＣメモリチップ１４に無線によりアクセスできるように電磁波を送受信するアンテナ部１５とからなる。画像プリント１２に画像を記録する際に、アンテナ部１５を介して画像データ２２がＩＣメモリチップ１５に書き込まれる。ＩＣメモリチップ１５には、画像データ２２の他に撮影情報などの付加データを記録しても良い。
【００１６】
電子フォトスタンド１０は、コントローラ１６, ＲＯＭ１７, ＲＡＭ１８, ＩＣメモリリーダ１９, 画像処理部２０, ディスプレイ１１, 操作部２１から構成されている。コントローラ１６は、バス２２を介して、ＩＣメモリリーダ１９, 画像処理部２０, ディスプレイ１１, 操作部２１などに接続されており、操作部２１から入力される操作信号や、画像プリント１２から送られる画像データ２３に基づいて、電子フォトスタンド１０の各部を制御する。
【００１７】
ＲＯＭ１７には、各種制御用のプログラムや設定情報などが記憶されている。コントローラ１６は、これらの情報をＲＯＭ１７から作業用メモリであるＲＡＭ１８にロードして、各種の処理を実行する。
【００１８】
ＩＣメモリリーダ１９は、非接触型ＩＣメモリ１３との間で電磁波を送受信することにより、ＩＣメモリチップ１４内の画像データ２３を読み取る。ＩＣメモリリーダ１９と非接触型ＩＣメモリ１３との通信距離は、電磁波の種類やその強弱によって異なるが、例えば、数ｍｍ程度〜数センチ程度の範囲である。画像プリント１２を所定の通信距離内で電子フォトスタンド１０に近接させると（図１参照）、非接触型ＩＣメモリ１３とＩＣメモリリーダ１９との間で通信が可能となり、画像データ２３がＩＣメモリリーダ１９によって読み取られる。
【００１９】
図３は、画像プリント１２を構成する各画素を示す。ＩＣメモリリーダ１９は、画像を、例えば３つの画素群に分け、各画素群に属する画素データ毎に読み取る。図３（Ａ）は、第１画素群として３画素おきに配列された画素Ｐ１を示す。図３（Ｂ）は、第２画素群として、１画素おきに配列された画素のうち第１画素群の画素Ｐ１を除いた画素Ｐ２を示す。そして、第３画素群としては、第１画素群の画素Ｐ１、及び第２画素群の画素Ｐ２のいずれにも属さない画素を示す。ＩＣメモリリーダ１９は、第１画素群，第２画素群, 第３画素群の順に画素データを読み取って、画像データ２３を段階的に読み取る。
【００２０】
以下、上記構成の作用について、図４のフローチャートを用いて説明する。ユーザが画像プリント１２を電子フォトスタンド１０に近接させると、ＩＣメモリリーダ１９によってＩＣメモリチップ１４内の画像データ２３の読み取りが開始される。ＩＣメモリリーダ１９は、まず、画素Ｐ１に対応する画素データを順次読み取っていく。画素Ｐ１の画素データの読み取りが完了すると、画像処理部２０は、画素Ｐ１の画素データのみからなる第１縮小画像２４ａを生成し、これをディスプレイ１１に出力する（図５（Ａ）参照）。第１縮小画像２４ａは、画素Ｐ１の画素データだけで構成されるため、サイズが小さい画像となる。
【００２１】
次に、ＩＣメモリリーダ１９は、画素Ｐ２に対応する画素データを順次読み取っていく。画素Ｐ２の画素データの読み取りが完了すると、画像処理部２０は、画素Ｐ１と画素Ｐ２との画素データからなる第２縮小画像２４ｂを生成し、ディスプレイ１１に出力する（図５（Ｂ）参照）。この第２縮小画像２４ｂは、画素Ｐ１と画素Ｐ２との画像データから構成されるため、サイズが第１縮小画像２４ａより大きいが、全画素からなるフル画像２５（図６参照）より小さい。
【００２２】
次に、ＩＣメモリリーダ１９は、画素Ｐ１及び画素Ｐ２以外の画素に対応する画素データを順次読み取っていく。この画素データの読み取りが完了すると、画像処理部２０は、全画素の画素データからなるフル画像２４を生成し、ディスプレイ１１に出力する。これにより、図６に示すように、フル画像２４がディスプレイ１１に表示される。
【００２３】
上記実施形態によれば、非接触型ＩＣメモリ１３を用いた例で説明したが、接触型ＩＣメモリでもよい。接触型ＩＣメモリの場合、ＩＣメモリチップに記憶される情報を読み取るＩＣメモリリーダの読取方法は適宜とされる。
【００２４】
上記実施形態によれば、ＩＣメモリリーダ１９は、一定間隔に配列された画素に対応する画素データを読み取っていくが、画素データの読み取り方はこれに限定されない。例えば、画像を複数の領域に分割し、各領域内の画素データを読み取っていき、各領域の画像を順次表示するようにしても良い。
【００２５】
上記実施形態によれば、ＩＣメモリリーダ１９は、画素データを３段階で読み取り、画像を３段階でディスプレイ１１に表示しているが、２段階で表示しても良いし、４段階以上としても良い。
【００２６】
画像データの読み取り中に表示される画像において、各段階で読み取られた画素データに対して周知の補間処理を行うことで、画像を少しずつ拡大表示できる。この場合は、次の段階の画素データを読み取る間に、表示される画像がなめらかに拡大されていく。
【００２７】
図７は、第２実施形態の表示装置である電子フォトビュア４０を示す。電子フォトビュア４０には、ＩＣメモリリーダ４１が導線４２を介して接続されている。ＩＣメモリリーダ４１は、略平板状に形成されており、画像プリント４４を載置しやすくなっている。画像プリント４４には、人物や風景などを撮影した撮影画像データ５２が書き込まれた非接触型ＩＣメモリ４５が埋め込まれている。
【００２８】
図８は、電子フォトビュア４０の電気構成の概略を示す。電子フォトビュア４０は、コントローラ４６, ＲＯＭ４７, ＲＡＭ４８, ＩＣメモリリーダ４１, 画像処理部４９, ディスプレイ４３, 操作部５０から構成されている。コントローラ４６は、電子フォトビュア４０の各部を制御する。
【００２９】
次に、上記構成の作用について、図９のフローチャートを用いて説明する。図１０（Ａ）に示すように、画像プリント４４をＩＣメモリリーダ４１の上面４１ａに載置すると、撮影画像データ５２が読み取られ、画像がディスプレイ４３に表示される。撮影画像データ５２を読み取る際、上記実施例１で示したように、画像データを段階的に読み取って、画像を徐々に表示するようにしても良い。さらに、図１０（Ｂ）に示すように、画像プリント４４の上に、画像プリント６０を重ねて載置すると、画像プリント６０に埋め込まれた非接触型ＩＣメモリ（図示せず）に書き込まれている撮影画像データ６１が読み取られる。これらの撮影画像データ５２，６１は、読み取った順に画像処理部４９内のメモリ（図示せず）に入力される。
【００３０】
画像処理部４９は、２種類の撮影画像データ５２, ６１の主要被写体（人物または中央部の風景など）を抽出した後、抽出された主要被写体が互いに重なり合うことのないように並べることにより、合成処理を行う。これにより、撮影画像データ５２, ６１の合成画像６２が生成され、ディスプレイ４３に表示される。合成画像６２は、操作部５０を介して外部操作することで、電子フォトビュア４０に保存することができる。
【００３１】
電子フォトビュア４０には、予め用意されている画像処理プリントを使用することもできる。例えば、図１１に示す例では、モザイク処理を表す画像処理プリント６４を用いて、画像のモザイク処理を行う。画像処理プリント６４には、モザイクを表す画像がプリントされており、ユーザはモザイク処理用のプリントであることを感覚的に理解することができる。図１１（Ａ）に示すように、画像プリント６３がＩＣメモリリーダ４１の上面４１ａに載置されて、撮影画像データが読み取られる。この撮影画像データが読み取られた後、図１１（Ｂ）に示すように、画像プリント６３の上に、画像処理プリント６４が載置されて、画像処理プリント６４の非接触型ＩＣメモリ（図示せず）に書き込まれているモザイク指示情報が読み取られる。電子フォトビュア４０は、モザイク指示情報に基づいて画像プリント６３の撮影画像データにモザイク処理を施し、ディスプレイ４３にモザイク処理後の画像６５を表示する。
【００３２】
上記実施形態によれば、ＩＣメモリリーダ４１は、単に、非接触型ＩＣメモリ４２に書き込まれた画像データを読み取るための読み取り手段として使用されるが、ＩＣメモリリーダ４１の使用はこれに限定されない。例えば、ＩＣメモリリーダ７１の上面全体に反射型フォトセンサを設け、画像プリントの載置位置を検出可能にする。図１２, 図１３に示すように、２種類の画像プリント７２ａ, ７２ｂがユーザによってＩＣメモリリーダ７１に載置されると、各画像プリント７２ａ, ７２ｂの載置位置が検出される。合成処理は、この検出結果に基づいて２種類の画像プリント７２ａ, ７２ｂのレイアウトを行って、これらの画像プリント７２ａ, ７２ｂを合成する。合成された画像７３には、ユーザの所望のレイアウトが反映される。
【産業上の利用可能性】
【００３３】
ＩＣメモリに書き込まれた画像データを読み取って画像を表示する表示装置や、ＩＣメモリ付プリントを用いた撮影装置に利用できる。
【図面の簡単な説明】
【００３４】
【図１】電子フォトスタンド及び画像プリントを模式的に示す斜視図である。
【図２】電子フォトスタンド及び画像プリントの構成を示すブロック図である。
【図３】各段階に読み取られる画素の画素データを示す説明図である。
【図４】画像データを段階的に読み取って、各段階の縮小画像を表示する手順を示すフローチャートである。
【図５】各段階の表示画像を示す説明図である。
【図６】フル画像がディスプレイに表示される様子を示す斜視図である。
【図７】電子フォトビュア及び画像プリントを模式的に示す斜視図である。
【図８】電子フォトビュア及び画像プリントの構成を示すブロック図である。
【図９】２種類の画像データを読み取った後、合成画像をディスプレイに表示する手順を示すフローチャートである。
【図１０】２種類の撮影画像データを読み取った後、合成画像をディスプレイに表示する様子を示す説明図である。
【図１１】撮影画像データと付加画像データとを読み取った後、これらの合成画像をディスプレイに表示する様子を示す説明図である。
【図１２】画像プリントの載置位置に基づいて２種類の画像がレイアウトされる様子を示す説明図である。
【図１３】画像プリントの載置位置に基づいて２種類の画像がレイアウトされる様子を示す説明図である。
【符号の説明】
【００３５】
１０    電子フォトスタンド
１１    ディスプレイ
１２    画像プリント
１３    非接触型ＩＣメモリ
１６    コントローラ
１９    ＩＣメモリリーダ
２０    画像処理部
２３    画像データ
２４ａ, ２４ｂ    第１及び第２の各縮小画像
２５    フル画像
４０    電子フォトビュア
４１    ＩＣメモリリーダ
４３    ディスプレイ
４６    コントローラ
４９    画像処理部
６２    合成画像
６４    画像処理プリント
Ｐ１, Ｐ２    画素
【図１】
2005056029.tif 000003
【図２】
2005056029.tif 000004
【図３】
2005056029.tif 000005
【図４】
2005056029.tif 000006
【図５】
2005056029.tif 000007
【図６】
2005056029.tif 000008
【図７】
2005056029.tif 000009
【図８】
2005056029.tif 000010
【図９】
2005056029.tif 000011
【図１０】
2005056029.tif 000012
【図１１】
2005056029.tif 000013
【図１２】
2005056029.tif 000014
【図１３】
2005056029.tif 000015